(57)【特許請求の範囲】
【請求項１】
パーソナルケア製品またはその成分の保湿効果を視覚的に評価するための方法であって：
（ｉ）新鮮な植物組織の第１部分を選択すること；
（ｉｉ）前記植物組織の第１部分をパーソナルケア製品またはその成分で処理すること；および
（ｉｉｉ）処理した前記植物組織の第１部分を３５〜８０℃の乾燥温度まで加熱すること
を含み、
工程（ｉ）において新鮮な植物組織の第２部分を選択し；工程（ｉｉ）において前記第２部分をプラセボ製品で処理し；処理した前記第２部分もまた加熱工程（ｉｉｉ）で処理し、
さらに、工程（ｉｉｉ）の後に、処理した前記第１部分の少なくとも１つの性状を評価する工程（ｉｖ）を含み、評価される前記性状が、新鮮な植物組織と比べた、および／または処理した前記第２部分と比べた、処理した前記第１部分の特徴の変化であり、
前記加熱工程（ｉｉｉ）の期間が１０秒〜１時間である
方法。
【請求項２】
前記プラセボが水である、請求項１に記載の方法。
【請求項３】
前記特徴が外観および／または機械的特性である、請求項１または２に記載の方法。
【請求項４】
前記植物組織が花弁、葉またはその組合せ、好ましくは花弁を含む、請求項１〜３のいずれか一項に記載の方法。
【請求項５】
工程（ｉｉ）において、前記植物組織の第１部分を、前記成分を含む水性液体で処理する、請求項１〜４のいずれか一項に記載の方法。
【請求項６】
前記水性液体の重量に対する前記成分の濃度が前記パーソナルケア製品の重量に対する前記成分の濃度より高い、請求項５に記載の方法。
【請求項７】
前記加熱工程（ｉｉｉ）の期間が１〜２０分間である、請求項１〜６のいずれか一項に記
載の方法。
【請求項８】
前記加熱工程（ｉｉｉ）が、処理した前記植物組織を熱風空気流と接触させることを含む、請求項１〜７のいずれか一項に記載の方法。
【請求項９】
乾燥温度が７０℃より低い、請求項１〜８のいずれか一項に記載の方法。
【請求項１０】
乾燥温度が４０〜７０℃の範囲である、請求項９に記載の方法。
【請求項１１】
前記製品がヘアケア製品である、請求項１〜１０のいずれか一項に記載の方法。
【請求項１２】
前記成分が、多価アルコール、脂肪物質、エステル皮膚軟化剤、炭化水素皮膚軟化剤、シリコーン油、ビタミン、植物エキスまたはその混合物から選択される、請求項１〜１１のいずれか一項に記載の方法。
【発明の詳細な説明】
【技術分野】
【０００１】
本発明は、パーソナルケア製品またはその成分の保湿効果の評価方法に関する。特に、本発明は、より迅速で即時的な評価がもたらされる方法を用いた、パーソナルケア製品、例えばスキンケア製品またはヘアケア製品の保湿効果の測定に関する。
【背景技術】
【０００２】
肌または髪のコンディションを改善するパーソナルケア製品は、多くの場合、肌または髪が水分を吸収および／または保持する能力に影響を及ぼすことによってそのコンディションが改善されるように設計される。しかしながら残念なことに、かかる製品の有益性はユーザーによって即時的に感じられない場合があり、実際、消費者に感知可能な有益性がもたらされるには多くの時間、またはさらには数日間、反復して塗布することが必要とされ得る。
【０００３】
組織の保湿状態のインビボおよびインビトロでの計測器による測定は、多くの場合、複雑であり、および／または高価な検査機器を伴う。さらに、かかる測定は多くの場合、素人が理解することが困難な、または少なくとも、予測される製品効果と関連づけることが困難な数値パラメータをもたらすものである。
【０００４】
したがって、本発明者らは、化粧品の保湿能を実証できるが専門的な機器を必要としない方法および／または消費者の有益性に容易に関連づけられる方法を提供する必要性を認識した。
【０００５】
米国特許第４，３７３，３８２号明細書（Ｎｉｃｏｌｅ  Ａ．Ａ．Ｂｒｕｎ）として公開された米国特許には、肌に塗布される製品の保湿作用の確認方法が開示されており、この場合、試験対象の製品を第１の植物試料、例えばリンゴの表面の少なくとも一部分に塗布し、この第１の試料を同じ植物の試料の少なくとも別の未処理の試料とともに同じ保存条件下で保存し、これらの試料の表面の進展を比較する。
【０００６】
米国特許第４，３７３，３８２号明細書の方法は必ずしも複雑な機器類を必要とするものではなく、消費者に対する有益性が植物基材のコンディションの変化によって効果的に実証されるが、この方法は依然として時間がかかるものであり、有意な効果が示されるには数日ないし数週間を要する。そのため、米国特許第４，３７３，３８２号明細書の方法は、製品効果の迅速またはさらには即時的な実証が必要とされる状況には充分に適していない。かかる状況としては、例えば店内または店頭での実証が挙げられる。
【０００７】
本発明者らはここに、上記の不都合点の一部または全部が、特定の方法を提供することによって改善され得ることを見出した。
【先行技術文献】
【特許文献】
【０００８】
【特許文献１】米国特許第４，３７３，３８２号明細書
【発明の概要】
【０００９】
第１の態様において、本発明は、パーソナルケア製品またはその成分の保湿効果の評価方法であって：
（ｉ）新鮮な植物組織の第１部分を選択すること；
（ｉｉ）該植物組織の第１部分をパーソナルケア製品またはその成分で処理すること；および
（ｉｉｉ）処理した該植物組織の第１部分を３５〜８０℃の乾燥温度まで加熱すること
を含む方法を提供する。
【００１０】
新鮮な植物組織は、水分感受性基材であることがわかっており、多くの場合、視覚的に説得力がある。さらに、３５〜８０℃の乾燥温度を使用することにより、熱誘導性損傷、例えば、焼け、焦げ、膨れ、煮えまたは他の加熱なしで乾燥させることによって植物組織の迅速で視覚的に明白な変化を誘導することができる。
【００１１】
本発明の他のすべての態様は、以下の詳細説明および実施例を検討すると、より容易に明白となろう。
【発明を実施するための形態】
【００１２】
本発明の方法は、新鮮な植物組織の第１部分を選択する工程（ｉ）を含む。植物組織は、植物全体、花、葉、花弁、茎、果実、種子もしくは根および／またはその断片であり得る。最も好ましいものは花弁、葉またはその組合せであり、それは、これらが典型的には比較的薄いが表面積が大きく、そのため比較的急速に乾燥するからである。最も好ましくは、植物組織は花弁またはその断片であり、それは、花弁が典型的には葉よりも脆弱であり、そのため乾燥時の変化が視覚的により明白となるからである。
【００１３】
「新鮮な」植物組織とは、３０重量％未満の含水量まで乾燥しておらず、通常、６０〜９５％の範囲の含水量を有する組織を意味する。本発明の方法では好ましくは、生きている植物から採取して（例えば、摘み取り、刈り込みおよび／または切り取りによって）から２４時間以内、より好ましくは１２時間以内、さらにより好ましくは６時間以内、最も好ましくは１０秒から３時間以内の新鮮な植物組織が使用される。
【００１４】
特に迅速な乾燥を可能にするため、第１部分は大きすぎないことが好ましい。特に、第１部分は１０ｇ未満、より好ましくは２ｇ未満、さらにより好ましくは１ｇ未満、なおより好ましくは０．５ｇ未満、最も好ましくは０．２ｇ未満の質量を有していることが好ましい。
【００１５】
しかしながら、第１部分は小さすぎてもいけない。特に、第１部分は肉眼で視認可能なものであるのがよい。好ましくは、第１部分は少なくとも１ｍｇ、より好ましくは少なくとも１０ｍｇ、最も好ましくは少なくとも５０ｍｇの質量を有している。
【００１６】
本発明の方法は、該植物組織の第１部分をパーソナルケア製品またはその成分で処理する工程（ｉｉ）を含む。
【００１７】
パーソナルケア製品は好ましくは、髪および／または肌にそのコンディションを改善する目的で塗布することが意図されたものである。特に、該製品は好ましくは、保湿、バリア機能、水分保持およびその組合せから選択される髪および／または肌のコンディションの改善が意図されたものである。好ましくは、該製品はヘアケア製品、特に、頭皮のコンディションを改善することが意図されたヘアケア製品である。
【００１８】
該処理は少なくとも、該第１部分を該製品または成分と接触させることを含む。該接触には、例えば、該製品または成分を該部分の少なくとも１つの表面上に塗り広げることが含まれ得る。付加的または択一的に、該接触には、該部分を、該製品または成分を含む液体中に浸漬させることが含まれ得る。また、該処理に、該製品または成分との接触後に該部分をすすぎ洗浄することを含めてもよい。すすぎ洗浄工程は、該製品が洗い流すタイプの製品、例えばスキンクレンジング剤、ボディウォッシュ、シャンプーまたはヘアコンディショナーである場合に特に好ましい。
【００１９】
好ましい一実施形態では、工程（ｉｉ）において、該第１部分をパーソナルケア製品の成分で処理する。該部分を製品全体ではなくその成分で処理することにより、例えば該成分が、該部分に該製品の場合より高い濃度で塗布されること、および／または製品全体を塗布することによって行われ得るものとは異なる様式で塗布されることが可能になる。かくして、該成分の保湿効果を向上させることができ、該効果が短時間で実証されるようになり得る。好ましくは、植物組織の第１部分を、該成分を含む水性液体で処理する。より好ましくは、該水性液体の重量に対する該成分の濃度が該パーソナルケア製品の重量に対する該成分の濃度より高い。例えば、該水性液体の重量に対する該成分の濃度は、該パーソナルケア製品の重量に対する該成分の濃度の少なくとも２倍、より好ましくは少なくとも３倍、さらにより好ましくは少なくとも５倍、最も好ましくは少なくとも１０倍であり得る。
【００２０】
該成分は、該製品にある程度関連しているものであるのがよい。「関連している」とは、該方法が好ましくは、該成分を該製品の一構成要素であると同定する工程を含むことを意味する。例えば、工程（ｉ）の前に、該方法は、パーソナルケア製品の評価対象の成分を選択する工程を含み得る。付加的または択一的に、該方法に、該成分をパーソナルケア製品の一構成要素として、表示、例えば、テキスト、ビデオ、オーディオなどによって伝達する工程を含めてもよい。
【００２１】
該成分は、良好な保湿効果を有する成分であるように選択するのがよい。例えば、該成分は好ましくは、湿潤剤、皮膚軟化剤、生理活性剤またはその組合せであるか、または少なくともこれらを含むものである。最も好ましくは、該成分は多価アルコール、脂肪物質（例えば、油、脂肪族アルコール、脂肪酸および／またはセッケン）、エステル皮膚軟化剤、炭化水素皮膚軟化剤、シリコーン油、ビタミン、植物エキスまたはその混合物であるか、またはこれらを含むものである。
【００２２】
好ましい多価アルコールとしてはポリアルキレングリコール、より好ましくは、アルキレンポリオールおよびその誘導体、例えば、プロピレングリコール、ジプロピレングリコール、ポリプロピレングリコール、ポリエチレングリコールおよびその誘導体、ソルビトール、ヒドロキシプロピルソルビトール、ヘキシレングリコール、１，３−ブチレングリコール、イソプレングリコール、１，２，６−ヘキサントリオール、グリセロール、エトキシル化グリセロール、プロポキシル化グリセロールならびにその混合物が挙げられる。最も好ましいものはグリセロール（グリセリンとしても知られている）である。
【００２３】
シリコーン油は揮発性種と不揮発性種に分けられ得る。用語「揮発性」は、本明細書で用いる場合、周囲温度（２５℃）で測定可能な蒸気圧を有する物質をいう。揮発性シリコーン油は好ましくは、３〜９個、好ましくは４〜５個のケイ素原子を含む環状（シクロメチコン）または線状ポリジメチルシロキサンから選択される。
【００２４】
皮膚軟化剤として有用な不揮発性シリコーン油としては、ポリアルキルシロキサン、ポリアルキルアリールシロキサンおよびポリエーテルシロキサンコポリマーが挙げられる。本明細書において有用な本質的に不揮発性のポリアルキルシロキサンとしては、例えば、２５℃で約５×１０−６〜０．１ｍ２／秒の粘度を有するポリジメチルシロキサンが挙げられる。中でも、本発明の組成物において有用な好ましい不揮発性皮膚軟化剤は、２５℃で約１×１０−ｓ〜約４×１０−４ｍ２／秒の粘度を有するポリジメチルシロキサンである。
【００２５】
オルガノポリシロキサンクロスポリマーが有用に使用され得る。このような物質の代表的なものはジメチコン／ビニルジメチコンクロスポリマーおよびジメチコンクロスポリマー（さまざまな供給元、例えば、Ｄｏｗ  Ｃｏｒｎｉｎｇ（９０４０、９０４１、９０４５、９５０６および９５０９）、Ｇｅｎｅｒａｌ  Ｅｌｅｃｔｒｉｃ（ＳＦＥ  ８３９）、Ｓｈｉｎ  Ｅｔｓｕ（ＫＳＧ−１５、１６および１８［ジメチコン／フェニルビニルジメチコンクロスポリマー］）ならびにＧｒａｎｔ  Ｉｎｄｕｓｔｒｉｅｓ（Ｇｒａｎｓｉｌブランドの物質）から入手可能）、ならびにラウリルジメチコン／ビニルジメチコンクロスポリマー（Ｓｈｉｎ  Ｅｔｓｕ（例えば、ＫＳＧ−３１、ＫＳＧ−３２、ＫＳＧ−４１、ＫＳＧ−４２、ＫＳＧ−４３およびＫＳＧ−４４）から供給）である。
【００２６】
脂肪物質の具体例としては、ステアリルアルコール、グリセリルモノリシノラート、ミンクオイル、セチルアルコール、イソプロピルイソステアレート、ステアリン酸、パルミチン酸イソブチル、ステアリン酸イソセチル、オレイルアルコール、ラウリン酸イソプロピル、ラウリン酸ヘキシル、オレイン酸デシル、オクタデカン−２−オール、イソセチルアルコール、エイコサニルアルコール、ベヘニルアルコール、パルミチン酸セチル、セバシン酸ジ−ｎ−ブチル、ミリスチン酸イソプロピル、パルミチン酸イソプロピル、ステアリン酸イソプロピル、ステアリン酸ブチル、ポリエチレングリコール、トリエチレングリコール、ラノリン、ココアバター、コーン油、綿実油、オリーブ油、パーム核油、菜種油、ベニバナ種子油、月見草油、ダイズ油、ヒマワリ種子油、アボカド油、ゴマ油、ココナッツ油、ラッカセイ油、ヒマシ油、アセチル化ラノリンアルコール、ワセリン、鉱物油、ミリスチン酸ブチル、イソステアリン酸、パルミチン酸、リノール酸イソプロピル、乳酸ラウリル、乳酸ミリスチル、オレイン酸デシル、ミリスチン酸ミリスチルおよびその混合物が挙げられる。
【００２７】
中でも、エステル皮膚軟化剤は以下のものである：
ａ）１０〜２０個の炭素原子を有する脂肪酸のアルケニルまたはアルキルエステル。その例としては、ネオペンタン酸イソアラキジル、ネオペンタン酸イソデシル、イソノニルイソナノエート、リシノール酸セチル、ミリスチン酸オレイル、ステアリン酸オレイルおよびオレイン酸オレイルが挙げられる。
【００２８】
ｂ）エーテル−エステル、例えば、エトキシル化脂肪族アルコールの脂肪酸エステル。
【００２９】
ｃ）多価アルコールエステル。ブチレングリコール、エチレングリコールモノおよびジ−脂肪酸エステル、ジエチレングリコールモノ−およびジ−脂肪酸エステル、ポリエチレングリコール（２００〜６０００）モノ−およびジ−脂肪酸エステル、プロピレングリコールモノ−およびジ−脂肪酸エステル、ポリプロピレングリコール２０００モノオレエート、ポリプロピレングリコール２０００モノステアレート、エトキシル化プロピレングリコールモノステアレート、グリセリルモノ−およびジ−脂肪酸エステル、ポリグリセロールポリ−脂肪酸エステル、エトキシル化グリセリルモノステアレート、１，３−ブチレングリコールモノステアレート、１，３−ブチレングリコールジステアレート、ポリオキシエチレンポリオール脂肪酸エステル、ソルビタン脂肪酸エステルおよびポリオキシエチレンソルビタン脂肪酸エステルが申し分のない多価アルコールエステルである。特に有用なものは、ペンタエリスリトール、トリメチロールプロパンおよびＣ１〜Ｃ３０アルコールのネオペンチルグリコールエステルである。例示的なものはペンタエリスリチルテトラエチルヘキサノエートである。
【００３０】
ｄ）ワックスエステル、例えば、蜜蝋、鯨蝋およびトリベヘニンワックス。
【００３１】
ｅ）コレステロール脂肪酸エステルが例であるステロールエステル。
【００３２】
ｆ）脂肪酸の糖エステル、例えば、スクロースポリベヘネートおよびスクロースポリ綿実油エステル。
【００３３】
有用な炭化水素としては、ペトロラタム、鉱物油、Ｃ１１〜Ｃ１３イソパラフィン、ポリアルファオレフィン、特にイソヘキサデカンが挙げられる。
【００３４】
処理工程（ｉｉ）の期間、すなわち、パーソナルケア製品または成分を植物組織に塗布し始めてから加熱工程（ｉｉｉ）を開始するまでの時間は好ましくは１秒〜２４時間である。しかしながら、該方法は、製品効果の迅速な実証が所望される状況、例えば、店内および／または店頭などにおいて特に好適であり得る。したがって、処理工程の期間は２時間未満、より好ましくは１時間未満、さらにより好ましくは３０分未満、最も好ましくは１０分未満であることが好ましい。
【００３５】
本発明の方法は、処理した植物組織の第１部分を３５〜８０℃の乾燥温度まで加熱する工程（ｉｉｉ）を含む。
【００３６】
さらにより迅速な乾燥をもたらすためには、乾燥温度が少なくとも４０℃、最も好ましくは少なくとも４５℃であることが好ましい。
【００３７】
植物組織の迅速で視覚的に明白な変化が熱誘導性損傷なしで乾燥によって誘導され得ることを確実にするため、植物組織を高すぎる温度で長すぎる時間保持しないことが好ましい。したがって、加熱工程の期間、すなわち、植物組織の温度が乾燥温度である時間は１０秒〜１時間、より好ましくは３０秒〜４０分間、さらにより好ましくは１〜２０分間、最も好ましくは２〜１０分間であることが好ましい。付加的または択一的に、乾燥温度は７５℃より低く、より好ましくは７０℃より低く、最も好ましくは６０℃より低い。
【００３８】
加熱は任意の簡便な様式で行われ得る。例えば、加熱工程には、処理した植物組織を、例えばヘアドライヤーからの熱風空気流と接触させることが含まれ得る。付加的または択一的に、加熱工程には、処理した植物組織をオーブン内でインキュベートすることが含まれ得る。
【００３９】
工程（ｉｉｉ）の後に、該方法は好ましくは、処理した第１部分の少なくとも１つの性状を評価する工程（ｉｖ）を含む。最も好ましくは、評価される性状は外観、例えば、大きさ、形状、表面の質感、色またはその組合せである。付加的または択一的に、機械的特性、例えば脆弱性、易損性などを評価してもよい。
【００４０】
本発明の方法は、パーソナルケア製品またはその成分の保湿効果をプラセボと比べて評価するために使用する場合に特に有効である。したがって、最も好ましい一実施形態では、該方法は、工程（ｉ）において新鮮な植物組織の第２部分を選択すること；工程（ｉｉ）において該第２部分をプラセボ製品で処理すること；および処理した該第２部分を加熱工程（ｉｉｉ）で処理することを含む。
【００４１】
第２部分は、例えば、植物材料の型ならびに形状および大きさに関して第１部分と実質的に同一であるのがよい。
【００４２】
プラセボは、試験対象のパーソナルケア製品または成分と異なる任意の組成物であり得る。しかしながら、最も好ましくは、プラセボは水である（または少なくとも、プラセボ製品の重量に対して少なくとも９９％、より好ましくは９９．９〜１００％の水を含むものである）。
【００４３】
工程（ｉｖ）において評価される性状は好ましくは、新鮮な植物組織と比べた、および／または処理した第２部分と比べた、処理した第１の一部分の特徴の変化である。該特徴は好ましくは外観および／または機械的特性である。
【００４４】
一実施形態では、該方法は、植物材料の１つ以上の画像を撮り、ならびに該１つ以上の画像を保存および／または伝送する工程を含む。該（１または複数の）画像は、例えば記録可能な媒体に、例えばＣＤ、フラッシュドライブまたは他のコンピュータ可読メモリに保存され得る。該（１または複数の）画像は、例えば、１つ以上の視覚表示装置上での表示のために伝送され得る。好適な視覚表示装置としては、例えば、モニター、ＴＶスクリーンおよび／またはモバイルデバイススクリーンが挙げられる。
【００４５】
本実施例以外、またはそうでないことを明示している箇所以外、物質の量または反応条件、物質の物性および／または使用を示す本説明における数値はすべて、「約」という語によって修飾されていると理解してもよい。
【００４６】
量はすべて、特に指定のない限り、製品の重量に対するものである。
【００４７】
値の任意の範囲の指定において、任意の具体的な上限値は任意の具体的な下限値を伴い得ることに注意されたい。
【００４８】
誤解を避けるため、「ｃｏｍｐｒｉｓｉｎｇ（〜を含む）」という語は、必ずしも「ｃｏｎｓｉｓｔｉｎｇ  ｏｆ（〜からなる）」または「ｃｏｍｐｏｓｅｄ  ｏｆ（〜で構成されている）」ではなく「ｉｎｃｌｕｄｉｎｇ（〜を含む）」を意味していることを意図する。換言すると、列挙された工程または選択肢は網羅的である必要はない。
【００４９】
本明細書において知得される本発明の開示内容は、請求項が多項従属または重複していない場合があり得るという事実に関係なく互いに多項従属している場合の特許請求の範囲において知得され得るすべての実施形態を包含しているとみなされたい。
【００５０】
以下の実施例は、本発明の理解を容易にするために示したものである。本実施例は特許請求の範囲の範囲を限定することを意図するものではない。
【００５１】
［実施例］
［実施例１］
試験試料を、７．５ｇのＣＬＥＡＲ（登録商標）シャンプー、７．５ｇのＣＬＥＡＲ（登録商標）ヘアコンディショナーおよび３５ｇの水を混合することにより調製した。シャンプーは０．０５％ｗ／ｗのグリセリンおよび０．０１％ｗ／ｗのサボテンエキスを含むものであった。コンディショナーは０．１％のグリセリンおよび０．０１％ｗ／ｗのサボテンエキスを含むものであった。
【００５２】
プラセボは５０ｇの水にした。
【００５３】
４枚の花弁を月見草（ｏｅｎｏｔｈｅｒａ  ｒｏｓｅａ）植物から採取した。２枚を試験試料中に入れ、２枚をプラセボ中に入れた。５分間浸漬させた後、花弁を試験試料およびプラセボから取り出し、各々を流水下で５秒間すすぎ洗浄した。
【００５４】
すすぎ洗浄した花弁をプレート上に間隔をあけて広げ、５０℃まで予熱したオーブンに入れた。１５分後、花弁をオーブンから取り出し、目視検査した。
【００５５】
試験試料で処理した花弁は依然として新鮮な花弁のように見え、脱水の兆候はほとんど示されないことが観察された。対照的に、プラセボで処理した花弁では、収縮、表面のしわおよび濃色化を含む視認可能な脱水の兆候が示された。
【００５６】
［実施例２］
実施例１に記載のヘアケア製品のいくつかの成分の効果を実証するため、試験試料を、７．５ｇのグリセリン、１．５ｇのサボテンエキスおよび４１ｇの水を混合することにより調製した。
【００５７】
プラセボは５０ｇの水にした。
【００５８】
４枚の花弁を月見草（ｏｅｎｏｔｈｅｒａ  ｒｏｓｅａ）植物から採取した。２枚を試験試料中に入れ、２枚をプラセボ中に入れた。５分間浸漬させた後、花弁を試験試料およびプラセボから取り出した。数秒間、花弁の水気を取ったが、すすぎ洗浄工程は行わなかった。
【００５９】
処理した花弁をプレート上に間隔をあけて広げ、５０℃まで予熱したオーブンに入れた。１５分後、花弁をオーブンから取り出し、目視検査した。
【００６０】
試験試料で処理した花弁は依然として新鮮な花弁のように見え、脱水の兆候はほとんど示されないことが観察された。対照的に、プラセボで処理した花弁では、収縮、表面のしわおよび濃色化を含む視認可能な脱水の兆候が示された。